(57)【要約】【課題】ビデオカメラを三脚などに固定したときの撮影に必要な機能に自動的に切り替わり、使用者がそれらの機能を動作させるか否かを任意に指定できるようにすることで、操作性の向上と撮影品質の劣化を防止することができる光学機器を提供する。【解決手段】携帯用ビデオカメラ本体１０１が三脚１０３にセットされ、これに対応して前記携帯用ビデオカメラ本体１０１の三脚用ネジ穴１０５上部に出没自在に取り付けられているピン３０２を介して三脚着脱検出機構３０１がＯＮ状態にされたとき、デジタルズーム設定、絞り優先モード、セルフタイマーモードのうち使用者が機能設定画面８０１で有効（ＯＮ）に設定した撮影機能に自動的に切り替え、三脚着脱検出機構３０１がＯＮ状態にされたとき、自動的に三脚１０３が固定される前の撮影機能に自動的に復帰する。【選択図】        図１
2006319405.tif 000002
【特許請求の範囲】
【請求項１】
三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器のズーム倍率設定をデジタルズームＯＮ状態にし、前記三脚の雄ネジが外されたときには前記三脚の雄ネジ締結前の状態に機能を自動的に切り替える機能を有することを特徴とする光学機器。
【請求項２】
三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器の絞り優先モードをＯＮ状態にし、前記三脚の雄ネジが外されたときには前記三脚の雄ネジ締結前の状態に機能を自動的に切り替える機能を有することを特徴とする光学機器。
【請求項３】
三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器のセルフタイマーモードをＯＮ状態にし、前記三脚の雄ネジが外されたときには前記三脚の雄ネジ締結前の状態に機能を自動的に切り替える機能を有することを特徴とする光学機器。
【請求項４】
前記光学機器において、前記三脚着脱検出機構が三脚を検出している状態のときの請求項１〜３いずれかのモードのＯＮ／ＯＦＦ状態の設定を使用者が任意に指定できる機能を有することを特徴とする光学機器。
【請求項５】
前記光学機器において、前記三脚着脱検出機構自体の有効・無効を設定できることを特徴とする光学機器。
【請求項６】
前記光学機器において、請求項１〜３いずれかにより設定された機能のいずれかが動作しているか否かを前記光学機器の画像表示部に表示する機能を有することを特徴とする光学機器。
【発明の詳細な説明】
【技術分野】
【０００１】
本発明は複数の撮影機能を有する光学機器を三脚などに固定したときの撮影を好適かつ高品質に記録するための光学機器に関する。
【背景技術】
【０００２】
一般に、手にもって撮影可能な光学機器として、いわゆる携帯用ビデオカメラ（デジタルカムコーダー）または、電子カメラ（デジタルカメラ）等のカメラが広く使われている。
【０００３】
また、従来の携帯用ビデオカメラにおいては、撮影を行なうための撮影モードと記録した画像を再生する再生モードがあり、撮影モードでは多様な撮影状況に対応するべく複数の撮影機能を設けている。
【０００４】
使用者は携帯用ビデオカメラが備える複数の撮影機能を撮影状況に合わせて使用者自ら設定するのが一般的である。
【０００５】
さらに、従来の携帯用ビデオカメラは三脚に固定して撮影を行なう場合が多い。
【０００６】
このような携帯用ビデオカメラを使用して撮影を行なう際、手にもって撮影するときと三脚などに固定して撮影するときとの撮影機能を使用者は適宜変更を行なって、より高品質な映像が得られるように機器の機能を設定する。
【０００７】
撮影機能の変更操作は、携帯用ビデオカメラ本体に設けられた例えば液晶ディスプレイ（ＬＣＤ）で構成された画像表示部（モニタ）を目視しつつ、本体表面に配置された各種操作ボタン、操作ダイヤルなどで行なうのが普通である。
【０００８】
三脚を使用した撮影に際しては、多くの撮影機能の変更操作を行なう必要があり、撮影機能の変更操作が煩雑である上に、使用したい機能への切り替え忘れといった撮影品質の劣化につながる操作が多い。
【０００９】
そこで従来では、携帯用ビデオカメラを三脚などに固定した際に、自動的に一つ、または複数の機能の設定を切り替え、撮影機能の変更操作の簡略化を図る考案が提案されている。
【特許文献１】特開２００３−３２２８９１号公報
【特許文献２】特開２００３−３１５９０３号公報
【特許文献３】特開平５−１９９４５１号公報
【発明の開示】
【発明が解決しようとする課題】
【００１０】
しかし、これらの機能の自動的な設定変更は使用者の意図と関係なく機能が切り替えられたり、使用者が必要としている機能に切り替わらなかったりする。
【００１１】
これらの問題は、機器操作性の低下、撮影品質の劣化につながる。
【００１２】
本発明は上記の事情に鑑み、ビデオカメラを三脚などに固定したときの撮影に必要な機能に自動的に切り替わり、使用者がそれらの機能を動作させるか否かを任意に指定できるようにすることで、操作性の向上と撮影品質の劣化を防止することができる光学機器を提供することを目的としている。
【課題を解決するための手段】
【００１３】
本発明の光学機器は、第一に、三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器のズーム倍率設定をデジタルズームＯＮ状態にし、前記三脚の雄ネジが外されたときには前記三脚の雄ネジ締結前の状態に機能を自動的に切り替える機能を有することを特徴とする。
【００１４】
第二に、三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器の絞り優先モードをＯＮ状態にし、前記三脚の雄ネジが外されたときには前記三脚の雄ネジ締結前の状態に機能を自動的に切り替える機能を有することを特徴とする。
【００１５】
第三に、三脚用ネジ穴を備え、前記三脚用ネジ穴に三脚の雄ネジが着脱されたときに前記光学機器がそれを検知する三脚着脱検出機構を有し、撮影機能を選択または設定できる機能を有する光学機器において、前記三脚用ネジ穴に前記三脚の雄ネジが締結されたときに前記光学機器のセルフタイマーモードをＯＮ状態にし、前記三脚の雄ネジが外されたときには前記三脚の雄ネジ締結前の状態に機能を自動的に切り替える機能を有することを特徴とする。
【００１６】
上述のように構成することにより、使用者が光学機器本体に三脚を取り付けて撮影を行なう際に、使用することが多い機能を自動的にＯＮ状態に設定し、使用者が光学機器の複数の機能を手動で切り替える操作の手間を省き、光学機器の操作性を向上できる。
【００１７】
これと共に、光学機器本体から三脚を取り外した場合には、三脚に固定する前の光学機器の状態に光学機器の機能を自動的に切り替えることにより、次回撮影時に光学機器の複数の機能を手動で切り替える操作の手間を省き、機能の切り替え忘れを防止して、光学機器の操作性を向上できる。
【００１８】
第四に、本発明の光学機器は、光学機器本体が三脚に取り付けられた撮影の際、請求項１〜３いずれかに記載する撮影機能のＯＮまたはＯＦＦ状態の設定を使用者が任意に指定できる機能を有することを特徴とする。
【００１９】
上述のように構成することにより、三脚に取り付けて撮影を行なう際、使用者が必要ないと判断した機能に自動的に切り替わることがなくなり、使用者が意図した機能が発揮され、優れた撮影品質を維持できる。
【００２０】
第五に、本発明の光学機器は、前記三脚着脱検出機構自体の有効・無効を設定できることを特徴とする。
【００２１】
上述のように構成することにより、光学機器を手に持って撮影する際の設定をそのまま使用できるため、三脚を使用して撮影する際に光学機器の撮影機能の設定を切り替える必要がない場合にも対応でき、光学機器の操作性を向上できる。
【００２２】
第六に、本発明の光学機器において、請求項１〜３いずれかにより設定された撮影機能のいずれかが動作しているか否かを光学機器の画像表示部に表示する機能を有する。
【００２３】
上述のように構成することにより、使用者は現在どの撮影機能が動作しているかを目視にて確認できるため、光学機器の撮影機能の切り替え忘れを防止することができ、撮影品質の劣化を未然に防ぐことができる。
【発明の効果】
【００２４】
本発明によれば、携帯用ビデオカメラを三脚などに固定して撮影を行なうとき、使用者の意図とは関係なく撮影機能が切り替わることがなく、使用者が必要とする撮影機能に自動的に切り替えることができ、これにより三脚などを使用した撮影での撮影機器操作性を向上し、撮影品質の劣化を防止することができる。
【発明を実施するための最良の形態】
【００２５】
本発明の光学機器に関する実施の形態について、以下に図面を参照しながら説明する。本実施の形態に関わる光学機器は、図１に示すように、携帯用ビデオカメラ１０１として構成する。この携帯用ビデオカメラ本体１０１は、レンズ１０２、画像表示部１０６、ビューファインダー１０７、主電源兼撮影・再生切替ダイヤル１０８により構成され、その底部中央にＪＩＳ規格の三脚用ネジ穴１０５を配置する。この携帯用ビデオカメラ本体１０１は、その三脚用ネジ穴１０５に三脚１０３の台部に設置した三脚雄ネジ１０４を挿入することによって三脚１０３に固定した状態にして撮影の操作を行なえるようにする。
【００２６】
また、携帯用ビデオカメラ本体１０１の三脚用ネジ穴１０５には、三脚１０３が取り付けられているか否かを検出するための検出手段を装着する。図２はこのような検出手段を有する携帯用ビデオカメラの一例を示すブロック図である。この図に示すビデオカメラはレンズ２０１、ＣＣＤ２０２、中央処理回路２０３、三脚着脱検出部２０４、画像表示部２０５を備えており、中央処理回路２０３では制御回路（図示は省略する）、記録信号処理回路（図示は省略する）などにより各種処理を行なう。
【００２７】
検出手段は、三脚用ネジ穴１０５のネジ穴上部に出没自在に取り付けられているピン３０２を有する三脚着脱検出機構３０１で構成し、この機構本体に対して三脚着脱を検出するか否かを設定できる。
【００２８】
この検出手段は、図３に示すように、三脚用ネジ穴１０５内に三脚雄ネジ１０４が挿入されていないため三脚着脱検出機構３０１のピン３０２が三脚用ネジ穴１０５内に所定長さ突出している状態のときに、携帯用ビデオカメラ本体１０１に三脚１０３が取り付けられていないこと検出する。
【００２９】
また検出手段は、図４に示すように、三脚用ネジ穴１０５内に三脚雄ネジ１０４が三脚が固定されているときの所定位置まで挿入されているため三脚着脱検出機構３０１のピン３０２が三脚雄ネジ１０４の挿入により押し込まれている状態のときに、携帯用ビデオカメラ本体１０１に三脚１０３が取り付けられていること検出する。
【００３０】
携帯用ビデオカメラ本体１０１では、三脚用ネジ穴１０５部分に三脚着脱検出機構３０１を装着して構成した検出手段の検出結果に基づいて、携帯用ビデオカメラ本体１０１における撮影機能の切り替え操作を自動的に実行するように構成する。
【００３１】
このため三脚着脱検出部２０４は、図２に示すようにその検出出力を携帯用ビデオカメラ本体１０１における中央処理回路２０３へ伝達するように構成する。そして、三脚着脱検出機構３０１は、図３に示すように、ピン３０２が三脚用ネジ穴１０５内から所定長さ突出している状態のときに、携帯用ビデオカメラ本体１０１に三脚１０３が取り付けられていることを検出した出力信号を中央処理回路２０３へ伝達する。
【００３２】
すると、中央処理回路２０３では、携帯用ビデオカメラ本体１０１に三脚１０３が取り付けられていることを検出した検出信号に基づいて、携帯用ビデオカメラ本体１０１のデジタルズーム設定、絞り優先モード、セルフタイマーモードをＯＮ状態、またはＯＦＦ状態に切り替える。
【００３３】
図５に示すフローチャートにより上述の動作を説明する。まず、Ｓ５０１では使用者が主電源兼撮影・再生切替ダイヤル１０８により、携帯用ビデオカメラ本体１０１を撮影モードにする。Ｓ５０２では使用者が三脚雄ネジ１０４を三脚用ネジ穴１０５に挿入し、三脚１０３を固定する。続いて、Ｓ５０３において、三脚着脱検出機構が無効（ＯＦＦ状態）のとき、撮影機能の設定は行なわずに撮影スタンバイ状態Ｓ５０５となる。三脚着脱検出機構が有効（ＯＮ状態）のとき、使用者が選択した撮影機能のＯＮ／ＯＦＦ切替操作Ｓ５０４を行い、撮影スタンバイ状態Ｓ５０５となる。
【００３４】
このとき、携帯用ビデオカメラ本体１０１の画像表示部１０６には、図７に示すように、三脚１０３が取り付けられていること検出した検出信号に基づいて、デジタルズーム設定、絞り優先モード、セルフタイマーモードのどの撮影機能が動作しているかを表示するデジタルズームアイコン７０２、絞り優先アイコン７０３、セルフタイマーアイコン７０４がそれぞれの機能のＯＮ／ＯＦＦ状態に伴い、表示画面７０１上に点灯、または消灯する。
【００３５】
また三脚着脱検出機構３０１は、そのピン３０２が、図４に示すように、三脚用ネジ穴１０５内に所定長さ突出している状態のときに、携帯用ビデオカメラ本体１０１に三脚１０３が取り付けられていないことを検出した出力信号を中央処理回路２０３へ伝達する。
【００３６】
すると、中央処理回路２０３では、携帯用ビデオカメラ１０１に三脚１０３が取り付けられていないことを検出した検出信号に基づいて、携帯用ビデオカメラ本体１０１のデジタルズーム設定、絞り優先モード、セルフタイマーモードを三脚１０３が取り付けられる前の撮影機能の設定に復帰する。
【００３７】
図６に示すフローチャートにより上述の動作を説明する。まず、Ｓ６０１では使用者が主電源兼撮影・再生切替ダイヤル１０８により、携帯用ビデオカメラ本体１０１を撮影モードにする。Ｓ６０２では使用者が三脚雄ネジ１０４を三脚用ネジ穴１０５より取り外し、三脚１０３を携帯用ビデオカメラ本体１０１から離脱する。続いて、Ｓ６０３において、三脚着脱検出機構が無効（ＯＦＦ状態）のとき、撮影機能の設定は行なわずに撮影スタンバイ状態Ｓ６０５となる。三脚着脱検出機構が有効（ＯＮ状態）のとき、三脚固定前の撮影機能のＯＮ／ＯＦＦ切替操作Ｓ６０４を行い、撮影スタンバイ状態Ｓ６０５となる。
【００３８】
このとき、携帯用ビデオカメラ本体１０１の画像表示部１０６には、三脚１０３が取り付けられていないこと検出した検出信号に基づいて、デジタルズームアイコン７０２、絞り優先アイコン７０３、セルフタイマーアイコン７０４がそれぞれの機能のＯＮ／ＯＦＦ状態に伴い、表示画面７０１上に点灯、または消灯する。
【００３９】
なお、携帯用ビデオカメラ本体１０１の画像表示部１０６では、図８に示す機能設定画面８０１にて、三脚１０５が取り付けられたときの携帯用ビデオカメラ本体１０１の撮影機能の切り替えを任意に指定できる。それと同時に三脚着脱検出機構３０１本体の機能の有効（ＯＮ）、無効（ＯＦＦ）の設定８０２ができる。
【００４０】
三脚着脱検出機構３０１本体の設定が無効（ＯＦＦ）のとき、携帯用ビデオカメラ本体１０１の画像表示部１０６には、三脚着脱検出機構３０１も機能設定以下に示されている撮影機能設定の文字８０６は、使用者にそれ以下の撮影機能の設定はできないことを視覚的に示すような表示色（例えば、グレー）で表示されるとともに、携帯用ビデオカメラ本体１０１に配置されている図示しない操作キーで、撮影機能設定は選択できないようにする。
【００４１】
また、上述した実施例においては、三脚着脱検出機構３０１本体の機能の有効（ＯＮ）、無効（ＯＦＦ）の設定８０３は、携帯用ビデオカメラ本体１０１の画像表示部１０６に表示される機能設定画面８０２にて設定するようにしているが、携帯用ビデオカメラ本体１０１表面に三脚着脱検出機構３０１の機能を選択する図示しないスイッチを配置してもよい。
【図面の簡単な説明】
【００４２】
【図１】本発明の光学機器に関する実施の形態に係る携帯用ビデオカメラ本体と、これに取り付け可能な三脚を示す概略斜視図である。
【図２】図１に示す携帯用ビデオカメラの構成例を示すブロック図である。
【図３】図１に示す携帯用ビデオカメラの三脚用ネジ穴部分に装着した三脚着脱検出機構のピンが、三脚雄ネジが締結されていることを検知している状態を示す概略縦断面図である。
【図４】図１に示す携帯用ビデオカメラの三脚用ネジ穴部分に装着した三脚着脱検出機構のピンが、三脚雄ネジが締結されていないことを検知している状態を示す概略縦断面図である。
【図５】図１に示す携帯用ビデオカメラに三脚を固定したときのフローチャートである。
【図６】図１に示す携帯用ビデオカメラに三脚を取り外したときのフローチャートである。
【図７】図１に示す携帯用ビデオカメラに三脚が固定されたときに、動作中の撮影機能のアイコン表示例を示す画像表示部の模式図である。
【図８】図１に示す携帯用ビデオカメラに三脚が固定されたときに動作する撮影機能を選択するときの表示例を示す画像表示部の模式図である。
【符号の説明】
【００４３】
１０１  携帯用ビデオカメラ本体
１０３  三脚
１０４  三脚雄ネジ
１０５  三脚用ネジ穴
１０６  画像表示部
３０１  三脚着脱検出機構
３０２  ピン
【図１】
2006319405.tif 000003
【図２】
2006319405.tif 000004
【図３】
2006319405.tif 000005
【図４】
2006319405.tif 000006
【図５】
2006319405.tif 000007
【図６】
2006319405.tif 000008
【図７】
2006319405.tif 000009
【図８】
2006319405.tif 000010